(57)【要約】【課題】表示品位の良好な画像を表示可能な反射表示機能を有した液晶表示装置を提供することを目的とする。【解決手段】  マトリクス状に配置された複数の画素を備えた液晶表示装置であって、  各画素において基板主面から突出した複数の凸部ＣＰが規則的に配列してなる反射パターンＲＰを有し、凸部ＣＰのそれぞれは基板主面の面内に長軸を有するような形状であり、第１画素ＰＸ１における第１反射パターンＲＰ１は、この第１画素に隣接する第２画素ＰＸ２における第２反射パターンＲＰ２とは異なることを特徴とする。【選択図】      図５
2008015376.tif 000002
【特許請求の範囲】
【請求項１】
マトリクス状に配置された複数の画素を備えた液晶表示装置であって、
各画素において基板主面から突出した複数の凸部が規則的に配列してなる反射パターンを有する第１基板と、
前記第１基板に対向して配置された第２基板と、
前記第１基板と前記第２基板との間に保持された液晶層と、を備え、
前記凸部のそれぞれは、基板主面の面内に長軸を有するような形状であり、
第１画素における第１反射パターンは、この第１画素に隣接する第２画素における第２反射パターンとは異なることを特徴とする液晶表示装置。
【請求項２】
前記第１反射パターン及び前記第２反射パターンのそれぞれは、前記凸部の長軸と直交する方向に延びる画素の中心線について非対称であり、
前記第２反射パターンは、前記第１反射パターンを前記中心線について反転させたパターンに相当することを特徴とする請求項１に記載の液晶表示装置。
【請求項３】
前記第２反射パターンは、前記第１反射パターンを前記凸部の長軸の長さより短いピッチだけ長軸方向にずらしたパターンに相当することを特徴とする請求項１に記載の液晶表示装置。
【請求項４】
前記第２画素は、前記第１画素の行方向に隣接し、
前記第１画素の列方向に隣接する第３画素は、前記第２反射パターンと同一の反射パターンを有することを特徴とする請求項１に記載の液晶表示装置。
【請求項５】
前記第２画素は、前記第１画素の行方向に隣接し、
前記第１画素の列方向に隣接する第３画素は、前記第１反射パターン及び前記第２反射パターンとは異なる第３配線パターンを有し、
前記第２反射パターンは、前記第１反射パターンを前記凸部の長軸の長さより短いピッチだけ長軸方向にずらしたパターンに相当し、
前記第３配線パターンは、前記第１反射パターンを画素の中心線について反転させたパターンに相当することを特徴とする請求項１に記載の液晶表示装置。
【請求項６】
前記第２画素は、前記第１画素の行方向に隣接し、
さらに、前記第２画素の行方向に隣接する第３画素における第３配線パターンは、前記第１反射パターン及び前記第２反射パターンとは異なり、
前記第２反射パターンは、前記第１反射パターンを前記凸部の長軸の長さの１／３ピッチだけ長軸方向にずらしたパターンに相当し、
前記第３反射パターンは、前記第２反射パターンを前記凸部の長軸の長さの１／３ピッチだけ長軸方向にずらしたパターンに相当することを特徴とする請求項１に記載の液晶表示装置。
【請求項７】
前記第１乃至第３画素は、それぞれ異なる色に対応することを特徴とする請求項６に記載の液晶表示装置。
【請求項８】
前記凸部の長軸は、行方向に略平行であることを特徴とする請求項１に記載の液晶表示装置。
【発明の詳細な説明】
【技術分野】
【０００１】
この発明は、液晶表示装置に係り、特に、基板主面に反射パターンを有し、外光を選択的に反射して画像を表示する機能を有する液晶表示装置に関する。
【背景技術】
【０００２】
液晶表示装置などの表示装置は、マトリクス状に配列された画素によって構成された表示領域を備えている。この表示領域は、表示画素の行方向に沿って延在する複数の走査線、表示画素の列方向に沿って延在する複数の信号線、これらの走査線と信号線との交差部付近に配置されたスイッチング素子、スイッチング素子に接続された画素電極などを備えている。
【０００３】
反射表示可能な液晶表示装置においては、各画素において基板主面から突出した複数の凸部からなる反射パターンが設けられている（例えば、特許文献１参照）。
【特許文献１】特開平２００４−２１２９４５号公報
【発明の開示】
【発明が解決しようとする課題】
【０００４】
このような反射型液晶表示装置においては、特定方向での反射率、もしくは特定方向からの入射光に対する正面（液晶表示パネルの法線方向）での反射率を向上するといった要求がある。さらに、反射型液晶表示装置においては、反射光の干渉によるモアレの発生を抑制するといった要求がある。
【０００５】
この発明は、上述した問題点に鑑みなされたものであって、その目的は、表示品位の良好な画像を表示可能な反射表示機能を有した液晶表示装置を提供することにある。
【課題を解決するための手段】
【０００６】
この発明の態様による液晶表示装置は、
マトリクス状に配置された複数の画素を備えた液晶表示装置であって、
各画素において基板主面から突出した複数の凸部が規則的に配列してなる反射パターンを有する第１基板と、
前記第１基板に対向して配置された第２基板と、
前記第１基板と前記第２基板との間に保持された液晶層と、を備え、
前記凸部のそれぞれは、基板主面の面内に長軸を有するような形状であり、
第１画素における第１反射パターンは、この第１画素に隣接する第２画素における第２反射パターンとは異なることを特徴とする。
【発明の効果】
【０００７】
この発明によれば、表示品位の良好な画像を表示可能な反射表示機能を有した液晶表示装置を提供することができる。
【発明を実施するための最良の形態】
【０００８】
以下、この発明の一実施の形態に係る液晶表示装置について図面を参照して説明する。ここでは、１画素が外光を選択的に反射することによって画像を表示する反射部のみによって構成された反射型液晶表示装置を例に説明するが、１画素内に反射部の他にバックライト光を選択的に透過することによって画像を表示する透過部を有する半透過型液晶表示装置や、表示領域の一部に反射部が設けられた部分反射型液晶表示装置など、表示領域の少なくとも一部に反射部を備えた液晶表示装置であれば、以下に説明する実施の形態に基づき、同様の効果が得られるものである。
【０００９】
図１及び図２に示すように、液晶表示装置は、アクティブマトリクスタイプの反射型のカラー液晶表示装置であって、液晶表示パネルＬＰＮを備えている。この液晶表示パネルＬＰＮは、アレイ基板（第１基板）ＡＲと、アレイ基板ＡＲと互いに対向して配置された対向基板（第２基板）ＣＴと、これらアレイ基板ＡＲと対向基板ＣＴとの間に保持された液晶層ＬＱと、を備えて構成されている。また、この液晶表示装置は、液晶表示パネルＬＰＮの一方の外面（すなわち対向基板ＣＴの液晶層ＬＱを保持する面とは反対の外面）に設けられた光学素子ＯＤを備えている。
【００１０】
このような液晶表示装置は、画像を表示する表示領域ＤＳＰにおいて、ｍ×ｎ個のマトリクス状に配置された複数の画素ＰＸを備えている。
【００１１】
アレイ基板ＡＲは、ガラス板や石英板などの光透過性を有する絶縁基板１０を用いて形成されている。すなわち、このアレイ基板ＡＲは、表示領域ＤＳＰにおいて、画素毎に配置されたｍ×ｎ個の画素電極ＥＰ、これら画素電極ＥＰの行方向に沿ってそれぞれ形成されたｎ本の走査線Ｙ（Ｙ１〜Ｙｎ）、これら画素電極ＥＰの列方向に沿ってそれぞれ形成されたｍ本の信号線Ｘ（Ｘ１〜Ｘｍ）、各画素ＰＸにおいて走査線Ｙと信号線Ｘとの交差位置近傍に配置されたｍ×ｎ個のスイッチング素子Ｗ（例えば薄膜トランジスタ）、液晶容量ＣＬＣと並列に補助容量ＣＳを構成するよう画素電極ＥＰに容量結合する補助容量線ＡＹなどを備えている。
【００１２】
アレイ基板ＡＲは、さらに、表示領域ＤＳＰの周辺の駆動回路領域ＤＣＴにおいて、ｎ本の走査線Ｙに接続された走査線ドライバＹＤを構成する少なくとも一部や、ｍ本の信号線Ｘに接続された信号線ドライバＸＤを構成する少なくとも一部などを備えている。走査線ドライバＹＤは、コントローラＣＮＴによる制御に基づいてｎ本の走査線Ｙに順次走査信号（駆動信号）を供給する。また、信号線ドライバＸＤは、コントローラＣＮＴによる制御に基づいて各行のスイッチング素子Ｗが走査信号によってオンするタイミングでｍ本の信号線Ｘに映像信号（駆動信号）を供給する。これにより、各行の画素電極ＥＰは、対応するスイッチング素子Ｗを介して供給される映像信号に応じた画素電位にそれぞれ設定される。
【００１３】
各スイッチング素子Ｗは、例えば、薄膜トランジスタによって構成されており、絶縁基板１０上に配置された半導体層１２を備えている。この半導体層１２は、例えば、ポリシリコンやアモルファスシリコンなどによって形成可能であり、ここではポリシリコンによって形成されている。半導体層１２は、チャネル領域１２Ｃを挟んだ両側にそれぞれソース領域１２Ｓ及びドレイン領域１２Ｄを有している。この半導体層１２は、ゲート絶縁膜１４によって覆われている。
【００１４】
スイッチング素子Ｗのゲート電極ＷＧは、走査線Ｙに接続され（あるいは走査線Ｙと一体的に形成され）、走査線Ｙ及び補助容量線ＡＹとともにゲート絶縁膜１４上に配置されている。これらのゲート電極ＷＧ、走査線Ｙ、及び、補助容量線ＡＹは、層間絶縁膜１６によって覆われている。
【００１５】
スイッチング素子Ｗのソース電極ＷＳ及びドレイン電極ＷＤは、層間絶縁膜１６上においてゲート電極ＷＧの両側に配置されている。ソース電極ＷＳは、信号線Ｘに接続される（あるいは信号線Ｘと一体に形成される）とともに、半導体層１２のソース領域１２Ｓにコンタクトしている。ドレイン電極ＷＤは、画素電極ＥＰに接続される（あるいは画素電極ＥＰと一体に形成される）とともに、半導体層１２のドレイン領域１２Ｄにコンタクトしている。これらのソース電極ＷＳ、ドレイン電極ＷＤ、及び信号線Ｘは、有機絶縁膜１８によって覆われている。
【００１６】
画素電極ＥＰは、有機絶縁膜１８上に配置され、有機絶縁膜１８に形成されたコンタクトホールを介してドレイン電極ＷＤと電気的に接続されている。この画素電極ＥＰは、アルミニウムなどの光反射性を有する金属膜によって形成されている。有機絶縁膜１８は、その表面にアレイ基板ＡＲの主面Ｐから突出した複数の凸部１８Ｐを有している。画素電極ＥＰは、この有機絶縁膜１８の凸部１８Ｐを覆うように配置されており、反射パターンＲＰを形成している。このような反射パターンＲＰは、１画素内において規則的に配列された凸部ＣＰによって構成されている。すべての画素ＰＸに対応した画素電極ＥＰは、配向膜２０によって覆われている。
【００１７】
一方、対向基板ＣＴは、ガラス板や石英板などの光透過性を有する絶縁基板３０を用いて形成されている。すなわち、この対向基板ＣＴは、表示領域ＤＳＰにおいて、各画素ＰＸを区画するブラックマトリクス３２、ブラックマトリクス３２によって囲まれた各画素に配置されたカラーフィルタ３４、対向電極ＥＴなどを備えている。
【００１８】
ブラックマトリクス３２は、アレイ基板ＡＲに設けられた走査線Ｙや信号線Ｘなどの配線部に対向するように配置されている。カラーフィルタ３４は、互いに異なる複数の色、例えば赤色、青色、緑色といった３原色にそれぞれ着色された着色樹脂によって形成されている。赤色着色樹脂、青色着色樹脂、及び緑色着色樹脂は、それぞれ赤色画素、青色画素、及び緑色画素に対応して配置されている。
【００１９】
対向電極ＥＴは、複数の画素ＰＸの画素電極ＥＰに対向するように配置されている。この対向電極ＥＴは、インジウム・ティン・オキサイド（ＩＴＯ）などの光透過性を有する金属膜によって形成されている。また、この対向電極ＥＴは、配向膜３６によって覆われている。
【００２０】
このような対向基板ＣＴと上述したようなアレイ基板ＡＲとをそれぞれの配向膜２０及び３６が対向するように配置したとき、両者の間に配置された図示しないスペーサにより、所定のギャップが形成される。液晶層ＬＱは、これらのアレイ基板ＡＲの配向膜２０と対向基板ＣＴの配向膜３６との間に形成されたギャップに封入された液晶分子を含む液晶組成物で構成されている。
【００２１】
光学素子ＯＤは、自身を通過した光の偏光状態を制御するものであり、少なくとも偏光板を含んで構成されている。光学素子ＯＤに入射した外光の偏光状態は、光学素子ＯＤを通過した際に所定の偏光状態に変換される。その後、光学素子ＯＤから出射された外光は、所定の偏光状態を保って液晶層ＬＱに入射する。液晶層ＬＱに入射した入射光は、画素電極ＥＰによって反射される。この反射光は、再び光学素子ＯＤに入射し、選択的に透過される。これにより、画像が表示される。
【００２２】
ところで、上述したような反射型の液晶表示装置においては、反射率を向上するといった要求に対して、所定の規則に基づいて配列された複数の凸部ＣＰからなる反射パターンＲＰが適用されている。しかしながら、各画素において同一の反射パターンを適用した場合、その規則性により、反射光の干渉によるモアレが発生しやすく、表示品位の劣化を招くおそれがある。
【００２３】
そこで、この実施の形態においては、互いに隣接する画素間で異なる反射パターンを適用している。すなわち、図３及び図４に示すように、反射パターンＲＰは、基板主面の面内に長軸Ｌを有するような形状の複数の凸部ＣＰによって形成されている。図３に示した例では、凸部ＣＰは、長軸Ｌを有する長円形状である。これらの複数の凸部ＣＰは、それぞれの長軸Ｌが略平行となるように配置されている。図４に示した例では、凸部ＣＰは、長軸Ｌを有する六角形状である。これらの複数の凸部ＣＰは、それぞれの長軸Ｌが略平行となるように配置されている。
【００２４】
以下に、六角形状の凸部ＣＰを適用した場合の反射パターンＲＰの構成例について説明する。なお、各図中の画素内に記した記号は、図中左上の画素（第１画素）の反射パターンを基準としたときの向きを示している。また、以下に示す各構成例においては、各画素ＰＸは、行方向Ｃを短辺とし、列方向Ｒを長辺とする略矩形状である。また、各画素ＰＸの反射パターンＲＰは、それぞれの長軸が行方向Ｃと平行となるように配列された複数の凸部ＣＰによって形成されている。ここでは、１つの凸部が６個の凸部によって囲まれた最密配置により反射パターンＲＰを形成している。
【００２５】
（第１構成例）
図５に示すように、各画素ＰＸの反射パターンＲＰは、凸部ＣＰの長軸Ｌと直交する列方向Ｒに延びる画素の中心線Ｏについて非対称である。すなわち、凸部ＣＰは、１画素ＰＸ内に４列にわたって備えられているが、中心線Ｏに近い２列の凸部は中心線Ｏから離れた列の凸部より長い長軸Ｌを有している。このような構成では、中心線Ｏについて左右の凸部のレイアウトが非対称である。
【００２６】
第１画素ＰＸ１を基準とし、第１画素ＰＸ１における第１反射パターンＲＰ１、及び、第１画素ＰＸ１の行方向Ｃに隣接する第２画素ＰＸ２における第２反射パターンＲＰ２は、それぞれ画素の中心線Ｏについて非対称であり、第２反射パターンＲＰ２は、第１反射パターンＲＰ１を中心線Ｏについて左右を反転させたパターンに相当する。つまり、第１反射パターンＲＰ１と、第２反射パターンＲＰ２とは、両者の境界に対して鏡像の関係にある。
【００２７】
また、第１画素ＰＸ１の列方向Ｒに隣接する第３画素ＰＸ３における第３反射パターンＲＰ３は、第２反射パターンＲＰ２と同一である。つまり、第１画素ＰＸ１は、行方向Ｃに隣接する第２画素ＰＸ１及び列方向Ｒに隣接する第３画素ＰＸ３とは異なる反射パターンを有している。
【００２８】
このような構成により、隣接する画素間での反射光の干渉を抑制することが可能となり、モアレの発生を低減することができる。したがって、反射表示機能を利用して、表示品位の良好な画像を表示することが可能となる。
【００２９】
（第２構成例）
図６に示すように、各画素ＰＸの反射パターンＲＰは、凸部ＣＰの長軸Ｌと直交する列方向Ｒに延びる画素の中心線Ｏについて非対称である。すなわち、凸部ＣＰは、１画素ＰＸ内に４列にわたって備えられ、全ての列の凸部は同一の長さの長軸Ｌを有している。このような構成でも、中心線Ｏについて左右の凸部のレイアウトが非対称である。
【００３０】
第１画素ＰＸ１を基準とし、第１画素ＰＸ１における第１反射パターンＲＰ１、及び、第１画素ＰＸ１の行方向Ｃに隣接する第２画素ＰＸ２における第２反射パターンＲＰ２は、それぞれ画素の中心線Ｏについて非対称であり、第２反射パターンＲＰ２は、第１反射パターンＲＰ１を中心線Ｏについて左右を反転させたパターンに相当する。つまり、第１反射パターンＲＰ１と、第２反射パターンＲＰ２とは、両者の境界に対して鏡像の関係にある。
【００３１】
また、第１画素ＰＸ１の列方向Ｒに隣接する第３画素ＰＸ３における第３反射パターンＲＰ３は、第２反射パターンＲＰ２と同一である。つまり、第１画素ＰＸ１は、行方向Ｃに隣接する第２画素ＰＸ１及び列方向Ｒに隣接する第３画素ＰＸ３とは異なる反射パターンを有している。
【００３２】
このような構成においても、構成例１と同様の効果が得られる。
【００３３】
（第３構成例）
図７に示すように、各画素ＰＸの反射パターンＲＰは、凸部ＣＰの長軸Ｌと直交する列方向Ｒに延びる画素の中心線Ｏについて非対称である。すなわち、凸部ＣＰは、１画素ＰＸ内に４列にわたって備えられているが、３列の凸部は同一の長さの長軸Ｌを有しているものの残りの１列の凸部は他の列の凸部の約１／２の長さを有している。このような構成でも、中心線Ｏについて左右の凸部のレイアウトが非対称である。
【００３４】
第１画素ＰＸ１を基準とし、第１画素ＰＸ１における第１反射パターンＲＰ１、及び、第１画素ＰＸ１の行方向Ｃに隣接する第２画素ＰＸ２における第２反射パターンＲＰ２は、それぞれ画素の中心線Ｏについて非対称であり、第２反射パターンＲＰ２は、第１反射パターンＲＰ１を中心線Ｏについて左右を反転させたパターンに相当する。つまり、第１反射パターンＲＰ１と、第２反射パターンＲＰ２とは、両者の境界に対して鏡像の関係にある。
【００３５】
また、第１画素ＰＸ１の列方向Ｒに隣接する第３画素ＰＸ３における第３反射パターンＲＰ３は、第２反射パターンＲＰ２と同一である。つまり、第１画素ＰＸ１は、行方向Ｃに隣接する第２画素ＰＸ１及び列方向Ｒに隣接する第３画素ＰＸ３とは異なる反射パターンを有している。
【００３６】
このような構成においても、構成例１と同様の効果が得られる。
【００３７】
（第４構成例）
図８に示すように、各画素ＰＸの反射パターンＲＰは、凸部ＣＰの長軸Ｌと直交する列方向Ｒに延びる画素の中心線Ｏについて非対称である。基本的な凸部ＣＰのレイアウトは、第１構成例と同様である。
【００３８】
第１画素ＰＸ１を基準としたとき、第１画素ＰＸ１の行方向Ｃに隣接する第２画素ＰＸ２における第２反射パターンＲＰ２は、第１画素ＰＸ１における第１反射パターンＲＰ１を凸部ＣＰの長軸Ｌの長さより短いピッチだけ長軸方向（つまり行方向）にずらしたパターンに相当する。同様に、第２画素ＰＸ２の行方向Ｃに隣接する第３画素ＰＸ３における第３反射パターンＲＰ３は、第２画素ＰＸ２における第２反射パターンＲＰ２を凸部ＣＰの長軸Ｌの長さより短いピッチだけ長軸方向にずらしたパターンに相当する。
【００３９】
このとき、それぞれの反射パターンをずらすピッチは同一であり、ここでは、凸部ＣＰの長軸の長さの１／３ピッチに設定されている。すなわち、ここでは、カラー表示タイプの液晶表示装置を例に説明しており、赤色画素、緑色画素、青色画素の３画素によって１つの絵素を構成している。例えば、第１画素ＰＸ１が赤色画素に相当し、第２画素ＰＸ２が緑色画素に相当し、第３画素ＰＸ３が青色画素に相当する。これらの色画素間で反射パターンが異なるように、隣接する色画素間で１／３ピッチずつずらした反射パターンを適用している。
【００４０】
一方、第３画素ＰＸ３の行方向Ｃに隣接する第４画素ＰＸ４における反射パターンは、第１反射パターンＲＰ１を画素の中心線について左右を反転させたパターンに相当する。第４画素ＰＸ４の行方向Ｃに隣接する第５画素ＰＸ５における反射パターンは、第２反射パターンＲＰ２を画素の中心線について左右を反転させたパターンに相当する。第５画素ＰＸ５の行方向Ｃに隣接する第６画素ＰＸ６における反射パターンは、第３反射パターンＲＰ３を画素の中心線について左右を反転させたパターンに相当する。
【００４１】
第１画素ＰＸ１の列方向Ｒに隣接する第７画素ＰＸ７における反射パターンは、第１反射パターンＲＰ１を画素の中心線について左右を反転させたパターンに相当する。第２画素ＰＸ２の列方向Ｒに隣接する第８画素ＰＸ８における反射パターンは、第２反射パターンＲＰ２を画素の中心線について左右を反転させたパターンに相当する。第３画素ＰＸ３の列方向Ｒに隣接する第９画素ＰＸ９における反射パターンは、第３反射パターンＲＰ３を画素の中心線について左右を反転させたパターンに相当する。
【００４２】
第４画素ＰＸ４の列方向Ｒに隣接する第１０画素ＰＸ１０における反射パターンは、第１反射パターンＲＰ１と同一である。第５画素ＰＸ５の列方向Ｒに隣接する第１１画素ＰＸ１１における反射パターンは、第２反射パターンＲＰ２と同一である。第６画素ＰＸ６の列方向Ｒに隣接する第１２画素ＰＸ１２における反射パターンは、第３反射パターンＲＰ３と同一である。
【００４３】
つまり、第１画素ＰＸ１、第２画素ＰＸ２、及び、第３画素ＰＸ３からなる絵素と、第１０画素ＰＸ１０、第１１画素ＰＸ１１、及び、第１２画素ＰＸ１２からなる絵素とは、同一パターンとなる。同様に、第４画素ＰＸ４、第５画素ＰＸ５、及び、第６画素ＰＸ６からなる絵素と、第７画素ＰＸ７、第８画素ＰＸ８、及び、第９画素ＰＸ９からなる絵素とは、同一パターンとなる。
【００４４】
赤色画素としては、第１画素ＰＸ１の他に、第４画素ＰＸ４、第7画素ＰＸ７、及び、第１０画素ＰＸ１０が含まれる。同様に、緑色画素としては、第２画素ＰＸ２の他に、第５画素ＰＸ５、第８画素ＰＸ８、及び、第１１画素ＰＸ１１が含まれ、また、青色画素としては、第３画素ＰＸ３の他に、第６画素ＰＸ６、第９画素ＰＸ９、及び、第１２画素ＰＸ１２が含まれる。
【００４５】
このような構成により、列方向Ｒに隣接する同一色画素間で反射パターンが異なることにより、同一色の反射光の干渉を抑制することが可能となり、モアレの発生を低減することができる。したがって、反射表示機能を利用して、表示品位の良好な画像を表示することが可能となる。
【００４６】
（第５構成例）
図９に示すように、各画素ＰＸの反射パターンＲＰは、凸部ＣＰの長軸Ｌと直交する列方向Ｒに延びる画素の中心線Ｏについて非対称である。基本的な凸部ＣＰのレイアウトは、第２構成例と同様である。
【００４７】
この第５構成例においても、第４構成例と同様に、第２画素ＰＸ２における第２反射パターンＲＰ２は、第１画素ＰＸ１における第１反射パターンＲＰ１を凸部ＣＰの長軸Ｌの長さより短いピッチだけ長軸方向（つまり行方向）にずらしたパターンに相当し、第３画素ＰＸ３における第３反射パターンＲＰ３は、第２画素ＰＸ２における第２反射パターンＲＰ２を凸部ＣＰの長軸Ｌの長さより短いピッチだけ長軸方向にずらしたパターンに相当する。そして、それぞれの反射パターンをずらすピッチは同一であり、ここでは、凸部ＣＰの長軸の長さの１／３ピッチに設定されている。
【００４８】
第４画素ＰＸ４における反射パターンは、第１反射パターンＲＰ１を画素の中心線について左右を反転させたパターンに相当する。第５画素ＰＸ５における反射パターンは、第２反射パターンＲＰ２を画素の中心線について左右を反転させたパターンに相当する。第６画素ＰＸ６における反射パターンは、第３反射パターンＲＰ３を画素の中心線について左右を反転させたパターンに相当する。
【００４９】
第７画素ＰＸ７における反射パターンは、第１反射パターンＲＰ１を画素の中心線について左右を反転させたパターンに相当する。第８画素ＰＸ８における反射パターンは、第２反射パターンＲＰ２を画素の中心線について左右を反転させたパターンに相当する。第９画素ＰＸ９における反射パターンは、第３反射パターンＲＰ３を画素の中心線について左右を反転させたパターンに相当する。
【００５０】
第１０画素ＰＸ１０における反射パターンは、第１反射パターンＲＰ１と同一である。第１１画素ＰＸ１１における反射パターンは、第２反射パターンＲＰ２と同一である。第１２画素ＰＸ１２における反射パターンは、第３反射パターンＲＰ３と同一である。
【００５１】
このような構成においても、構成例４と同様の効果が得られる。
【００５２】
（第６構成例）
図１０に示すように、各画素ＰＸの反射パターンＲＰは、凸部ＣＰの長軸Ｌと直交する列方向Ｒに延びる画素の中心線Ｏについて非対称である。基本的な凸部ＣＰのレイアウトは、第３構成例と同様である。
【００５３】
この第６構成例においても、第４構成例と同様に、第２画素ＰＸ２における第２反射パターンＲＰ２は、第１画素ＰＸ１における第１反射パターンＲＰ１を凸部ＣＰの長軸Ｌの長さより短いピッチだけ長軸方向（つまり行方向）にずらしたパターンに相当し、第３画素ＰＸ３における第３反射パターンＲＰ３は、第２画素ＰＸ２における第２反射パターンＲＰ２を凸部ＣＰの長軸Ｌの長さより短いピッチだけ長軸方向にずらしたパターンに相当する。そして、それぞれの反射パターンをずらすピッチは同一であり、ここでは、凸部ＣＰの長軸の長さの１／３ピッチに設定されている。
【００５４】
第４画素ＰＸ４における反射パターンは、第１反射パターンＲＰ１を画素の中心線について左右を反転させたパターンに相当する。第５画素ＰＸ５における反射パターンは、第２反射パターンＲＰ２を画素の中心線について左右を反転させたパターンに相当する。第６画素ＰＸ６における反射パターンは、第３反射パターンＲＰ３を画素の中心線について左右を反転させたパターンに相当する。
【００５５】
第７画素ＰＸ７における反射パターンは、第１反射パターンＲＰ１を画素の中心線について左右を反転させたパターンに相当する。第８画素ＰＸ８における反射パターンは、第２反射パターンＲＰ２を画素の中心線について左右を反転させたパターンに相当する。第９画素ＰＸ９における反射パターンは、第３反射パターンＲＰ３を画素の中心線について左右を反転させたパターンに相当する。
【００５６】
第１０画素ＰＸ１０における反射パターンは、第１反射パターンＲＰ１と同一である。第１１画素ＰＸ１１における反射パターンは、第２反射パターンＲＰ２と同一である。第１２画素ＰＸ１２における反射パターンは、第３反射パターンＲＰ３と同一である。
【００５７】
このような構成においても、構成例４と同様の効果が得られる。
【００５８】
なお、図５乃至図１０に示したような反射パターンを適用する場合、それらを構成する凸部ＣＰの長軸Ｌは、図１１に示すように、行方向つまり画面の水平方向（Ｘ軸）に略平行に設定することが望ましい。このような設定により、画面の垂直方向（Ｙ軸）から入射する外光を指向性良く画面の法線方向（Ｚ軸）付近に向けて反射することが可能となり、さらなる特定方向への反射率の向上が可能となる。
【００５９】
以上説明したように、この実施の形態の反射表示機能を有した液晶表示装置によれば、表示品位の良好な画像を表示することが可能となる。
【００６０】
なお、この発明は、上記各実施形態そのものに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００６１】
【図１】図１は、この発明の一実施の形態に係る反射表示機能を有した液晶表示装置の構成を概略的に示す図である。
【図２】図２は、図１に示した液晶表示装置における１画素の断面構造を概略的に示す図である。
【図３】図３は、図２に示した液晶表示装置に適用可能な反射パターンの一例を概略的に示す図である。
【図４】図４は、図２に示した液晶表示装置に適用可能な反射パターンの一例を概略的に示す図である。
【図５】図５は、図２に示した液晶表示装置に適用可能な反射パターンの第１構成例を概略的に示す図である。
【図６】図６は、図２に示した液晶表示装置に適用可能な反射パターンの第２構成例を概略的に示す図である。
【図７】図７は、図２に示した液晶表示装置に適用可能な反射パターンの第３構成例を概略的に示す図である。
【図８】図８は、図２に示した液晶表示装置に適用可能な反射パターンの第４構成例を概略的に示す図である。
【図９】図９は、図２に示した液晶表示装置に適用可能な反射パターンの第５構成例を概略的に示す図である。
【図１０】図１０は、図２に示した液晶表示装置に適用可能な反射パターンの第６構成例を概略的に示す図である。
【図１１】図１１は、反射パターンによる反射光の指向性を説明するための図である。
【符号の説明】
【００６２】
ＬＰＮ…液晶表示パネル
ＡＲ…アレイ基板
ＣＴ…対向基板
ＬＱ…液晶層
ＤＳＰ…表示領域
ＰＸ…画素
ＥＰ…画素電極
Ｙ…走査線
Ｘ…信号線
Ｗ…スイッチング素子
Ｐ…主面
ＲＰ…反射パターン
ＣＰ…凸部
Ｌ…長軸
Ｃ…行方向
Ｒ…列方向
Ｏ…中心線
１８Ｐ…凸部
３４…カラーフィルタ
【図１】
2008015376.tif 000003
【図２】
2008015376.tif 000004
【図３】
2008015376.tif 000005
【図４】
2008015376.tif 000006
【図５】
2008015376.tif 000007
【図６】
2008015376.tif 000008
【図７】
2008015376.tif 000009
【図８】
2008015376.tif 000010
【図９】
2008015376.tif 000011
【図１０】
2008015376.tif 000012
【図１１】
2008015376.tif 000013